(57)【要約】【課題】撮影画像とともに、その撮影画像に関連する情報を保存し、その情報を有効利用するシステムを提供することである。【解決手段】上記課題を解決するにあたり、本発明は、撮影した画像の詳細情報を携帯端末内に画像データと併せて記録し、画像データから距離を算出する機能を支援する。撮影された画像は、携帯端末１００の表示部１０３に表示され、保存するか否かをユーザに確認する。ユーザが保存を選択した場合、次にＧＰＳ衛星８００、現在の緯度・経度データ６０を特定し携帯端末１００に送信する。次に取得した緯度・経度データ６０をもとに、位置情報提供システム５００から位置情報５０、またインターネットを介して天候情報サーバ７００から現在地の天候情報７０を取得する。各取得情報と撮影画像１０を含む画像データ３０を携帯端末１００へ保存可能とする。さらに任意の保存画像データ３１が撮影された場所と現在携帯端末が位置する場所との距離を算出する機能を備える。【選択図】図１
2009225350.tif 000002
【特許請求の範囲】
【請求項１】
画像と該画像が撮影された場所の位置情報とを関連付けて画像データとし、
前記画像データ内の位置情報に基づいて、該画像データ内の画像が撮影された場所と現在位置との距離を算出する手段を備えたことを特徴とする携帯端末装置。
【請求項２】
画像と該画像が撮影された場所の位置情報とを関連付けて画像データとし、
一の画像データ内の位置情報および他の画像データ内の位置情報に基づいて、該一の画像データ内の画像が撮影された場所と該他の画像データ内の画像が撮影された場所との距離を算出する手段を備えたことを特徴とする携帯端末装置。
【請求項３】
画像と該画像が撮影された場所の位置情報とを関連付けて画像データとし、
前記画像データ内の位置情報に基づいて求められた、現在位置から該画像データ内の画像が撮影された場所への経路を、表示する手段を備えたことを特徴とする携帯端末装置。
【請求項４】
画像と該画像が撮影された場所の位置情報とを関連付けて画像データとし、
一の画像データ内の位置情報および他の画像データ内の位置情報に基づいて求められた、該一の画像データ内の画像が撮影された場所から該他の画像データ内の画像が撮影された場所への経路を、表示する手段を備えたことを特徴とする携帯端末装置。
【請求項５】
画像と該画像が撮影された場所の位置情報とを関連付けて画像データとし、
前記画像データ内の位置情報に基づいて、該画像データ内の画像が撮影された場所と現在位置との距離を算出する手段を備えたことを特徴とする位置管理システム。
【請求項６】
画像と該画像が撮影された場所の位置情報とを関連付けて画像データとし、
一の画像データ内の位置情報および他の画像データ内の位置情報に基づいて、該一の画像データ内の画像が撮影された場所と該他の画像データ内の画像が撮影された場所との距離を算出する手段を備えたことを特徴とする位置管理システム。
【請求項７】
画像と該画像が撮影された場所の位置情報とを関連付けて画像データとし、
前記画像データ内の位置情報に基づいて、現在位置から該画像データ内の画像が撮影された場所への経路を求める手段を備えたことを特徴とする位置管理システム。
【請求項８】
画像と該画像が撮影された場所の位置情報とを関連付けて画像データとし、
一の画像データ内の位置情報および他の画像データ内の位置情報に基づいて、該一の画像データ内の画像が撮影された場所から該他の画像データ内の画像が撮影された場所への経路を求める手段を備えたことを特徴とする位置管理システム。
【発明の詳細な説明】
【技術分野】
【０００１】
本発明は携帯端末装置および携帯端末装置を用いた位置管理システムに関し、特にＧＰＳ機能付き携帯端末装置を用いたシステムに関する。
【背景技術】
【０００２】
近年のデジタルカメラや、カメラ付き携帯電話の普及により、誰もが容易にデジタル画像を作成することが可能になった。その便利さから、撮影枚数の増加や不特定の場所における撮影が頻繁に行われている。現在のデジタル画像の保存方法は、初期設定で日時をファイル名としている場合が多く、ユーザがファイル名を指定しなくてもデータを保存できる仕組みとなっている。また、デジタル画像は携帯端末を介して、他のユーザへ送信することができ、データの共有も容易となっている。
【０００３】
また、特許文献１には、撮影画像に関連する情報として、操作者が入力して録音した音声データやＧＰＳによる位置データを、撮影画像と関連付けて保存するシステムについて開示されている。
【０００４】
【特許文献１】特開２００５−２３６７２９号公報
【発明の開示】
【発明が解決しようとする課題】
【０００５】
しかしながら、上述の従来例では以下のような問題があった。
【０００６】
すなわち特許文献１に記載の発明では、撮影画像とともに、ある種の撮影画像に関連する情報が保存されるが、その有効利用については何ら検討されておらず、その画像は独立したデータとしてしか扱えない。つまり、他の携帯端末との関連付け（互いの距離を計測する等）はできないものであった。
【０００７】
本発明は上記の点にかんがみてなされたもので、撮影画像とともに、その撮影画像に関連する情報を保存し、その情報を有効利用するシステムを提供することを目的とする。
【課題を解決するための手段】
【０００８】
上記課題を解決するにあたり、本発明は、撮影した画像の詳細情報を携帯端末内に画像データと併せて記録し、画像データから距離を算出する機能を支援する。
【０００９】
図１において、ＧＰＳ（Ｇｌｏｂａｌ  Ｐｏｓｉｔｉｏｎｉｎｇ  Ｓｙｓｔｅｍ）用アンテナ１０１および、カメラ１０２および、表示部１０３、入力部１０４、メモリ１０５、を備えた端末１００を用いて任意の対象物を撮影する。
【００１０】
撮影された画像１０は、携帯端末１００の表示部１０３に表示され、保存するか否かをユーザに確認する。ユーザが保存を選択した場合、次にＧＰＳ衛星８００、現在の緯度・経度データ６０を特定し携帯端末１００に送信する。次に取得した緯度・経度データ６０をもとに、位置情報提供システム５００から位置情報５０、またインターネットを介して天候情報サーバ７００から現在地の天候情報７０を取得する。
【００１１】
各取得情報と撮影画像１０を含む画像データ３０を携帯端末１００へ保存可能とする。
【００１２】
さらに任意の保存画像データ３１が撮影された場所と現在携帯端末が位置する場所との距離を算出する機能を備える。
【００１３】
本発明は、携帯端末装置において、画像と該画像が撮影された場所の位置情報とを関連付けて画像データとし、前記画像データ内の位置情報に基づいて、該画像データ内の画像が撮影された場所と現在位置との距離を算出する手段を備えたことを特徴とする。
【００１４】
また本発明は、携帯端末装置において、画像と該画像が撮影された場所の位置情報とを関連付けて画像データとし、一の画像データ内の位置情報および他の画像データ内の位置情報に基づいて、該一の画像データ内の画像が撮影された場所と該他の画像データ内の画像が撮影された場所との距離を算出する手段を備えたことを特徴とする。
【００１５】
また本発明は、携帯端末装置において、画像と該画像が撮影された場所の位置情報とを関連付けて画像データとし、前記画像データ内の位置情報に基づいて求められた、現在位置から該画像データ内の画像が撮影された場所への経路を、表示する手段を備えたことを特徴とする。
【００１６】
また本発明は、携帯端末装置において、画像と該画像が撮影された場所の位置情報とを関連付けて画像データとし、一の画像データ内の位置情報および他の画像データ内の位置情報に基づいて求められた、該一の画像データ内の画像が撮影された場所から該他の画像データ内の画像が撮影された場所への経路を、表示する手段を備えたことを特徴とする。
【００１７】
また本発明は、位置管理システムにおいて、画像と該画像が撮影された場所の位置情報とを関連付けて画像データとし、前記画像データ内の位置情報に基づいて、該画像データ内の画像が撮影された場所と現在位置との距離を算出する手段を備えたことを特徴とする。
【００１８】
また本発明は、位置管理システムにおいて、画像と該画像が撮影された場所の位置情報とを関連付けて画像データとし、一の画像データ内の位置情報および他の画像データ内の位置情報に基づいて、該一の画像データ内の画像が撮影された場所と該他の画像データ内の画像が撮影された場所との距離を算出する手段を備えたことを特徴とする。
【００１９】
また本発明は、位置管理システムにおいて、画像と該画像が撮影された場所の位置情報とを関連付けて画像データとし、前記画像データ内の位置情報に基づいて、現在位置から該画像データ内の画像が撮影された場所への経路を求める手段を備えたことを特徴とする。
【００２０】
また本発明は、位置管理システムにおいて、画像と該画像が撮影された場所の位置情報とを関連付けて画像データとし、一の画像データ内の位置情報および他の画像データ内の位置情報に基づいて、該一の画像データ内の画像が撮影された場所から該他の画像データ内の画像が撮影された場所への経路を求める手段を備えたことを特徴とする。
【発明の効果】
【００２１】
本発明によれば、撮影画像とともに、その撮影画像に関連する情報を保存し、その情報を有効利用するシステムを提供することができる。
【００２２】
たとえば、携帯端末で撮影した画像を保存するときに、ＧＰＳ衛星およびインタ−ネット上の各データベースから、付加情報（位置情報、天候、地図）を取得し、撮影された画像と共に画像データとして携帯端末に保存し、それらの付加情報を携帯端末に表示させることを可能とする。これにより、画像保存時に容易な操作で付加情報を取得でき、多くの情報を手入力する手間が省ける。
【００２３】
また、この画像データを電子メールで送信した場合に、受信側においても送信側と同様の付加情報を端末にて閲覧可能であり、その画像データと受信携帯端末との距離を計測することにより、受信者は画像が撮影された場所までの所要時間の概算を知ることができる。
【発明を実施するための最良の形態】
【００２４】
以下、本発明の実施の形態について図面を参照して詳細に説明する。
【００２５】
図１は、本発明による携帯端末装置を用いた位置管理システムの一実施の形態の構成を示すブロック図である。
【００２６】
本システムにおける携帯端末装置１００および１１０は、それぞれ、ＧＰＳアンテナ１０１と、カメラ１０２と、表示部１０３と、入力部１０４と、メモリ１０５とを有して構成される。
【００２７】
また、本システムは、位置情報システム９００と、位置情報を取得するＧＰＳ衛星８００と、天候情報サーバ７００とを有して構成される。
【００２８】
これらの構成はそれぞれ概略次のように動作する。
【００２９】
まずカメラ１０２で撮影された画像をメモリ１０５に保存するかを確認する。保存する場合、次にその撮影場所の緯度・経度データ２０をＧＰＳ衛星８００より取得する。
【００３０】
次に緯度・経度データ２０の数値を、位置情報システム９００を介して位置情報（地図、住所）３０に変換し携帯端末１００に表示する。
【００３１】
次に、取得した情報３０から、撮影された場所の天候情報４０を天候情報サーバ７００より取得する。撮影した画像、位置情報３０、天候情報４０の情報を含む画像を、画像データ３０として携帯端末１００に保存する。
【００３２】
画像データ３０を他の携帯端末１１０へ送信した場合、これらの情報を全て含めた形式で送信することが可能である。
【００３３】
画像データ３０を受信した携帯端末１０１は画像データ３０に付与された緯度・経度データ２０を参照し、またＧＰＳ衛星８００から受信端末１１０の緯度・経度データ２１を得て、これらに基づいて画像データ３０の画像が撮影された場所と受信端末１１０が現在位置する場所との間の距離を算出することを可能とする。
【００３４】
次に、図２および図３のフローチャートを参照して本実施例の全体の動作について詳細に説明する。
【００３５】
図２は送信端末の動作を示すフローチャートであり、図３は受信端末の動作を示すフローチャートである。
【００３６】
まず、図２を参照すると、携帯端末１００にて対象物を撮影し（ステップＡ１）、撮影した画像を携帯端末に保存するかを選択する（ステップＡ２）。保存しない場合は、撮影された画像は削除され、再び撮影モードに戻る（ステップＡ１）。
【００３７】
画像を保存する場合は、引き続き位置情報を取得するかどうかを選択する（ステップＡ３）。取得しない場合はステップＡ８へ進み、画像のみを保存する。
【００３８】
位置情報を取得する場合、次にＧＰＳアンテナ１０１からＧＰＳ衛星８００へアクセスし、現在地の緯度および経度を取得する（ステップＡ４）。取得した緯度・経度データ２０から、さらに詳細な情報、また詳細な位置情報を取得するかどうかを選択し（ステップＡ５）、取得する場合は、位置情報提供システ９００を用いて地図および、住所としてデータを変換し、携帯端末１００に送信する。次に取得した位置情報３０を利用してインターネット上の天候情報サーバ７００から天候情報４０を取得し（ステップＡ６）、保存するかどうか判断する（ステップＡ７）。保存しない場合は、詳細情報を再取得するか否かを選択する（ステップＡ９）。再取得する場合はステップＡ６へ、再取得せず画像と緯度・経緯データ２０のみ保存する場合はステップＡ８へ進む。
【００３９】
ステップＡ７において、取得した情報を保存する場合は、画像と併せて、画像データ３０として携帯端末１００のメモリ１０５に保存する（ステップＡ８）。保存された画像を他の端末へ送信する場合はステップＡ１０へ、送信しない場合は保存のみ実行し処理を終了する。
【００４０】
次に、図３を参照すると、受信端末１１０では、携帯端末１００から送信された画像データ３０を受信し表示する（ステップＡ２１）。
【００４１】
次に、受信した画像データ３０に基づいて、画像データ３０の画像が撮影された場所と、受信端末１１０が現在位置する場所との距離を算出するかどうか選択する（ステップＡ２２）。算出を実施する場合はステップＡ２３へ、実施しない場合は処理を終了する。
【００４２】
距離を算出する場合、受信した画像データ３０に位置情報が記録されているかどうかを確認する（ステップＡ２３）。画像データ３０に位置情報が記録されていない場合は処理を終了する。
【００４３】
画像データ３０に位置情報が記録されている場合は、受信端末１１０の現在位置をＧＰＳ衛星８００より取得する（ステップＡ２４）。受信端末１１０からＧＰＳアンテナ１０１を介しＧＰＳ衛星８００へアクセスし、受信端末１１０の緯度および経度２１を取得する（ステップＡ２４）。ステップＡ２３、Ａ２４で得た各位置情報から、両者の距離を算出し表示する（ステップＡ２５）。
【００４４】
なお、上述の例では、画像データ３０を受信した携帯端末１１０において、画像データ３０の画像が撮影された場所と携帯端末１１０の現在位置との距離を算出するようにしたが、本発明はこれに限られるものではなく、画像データ３０を撮影した携帯端末１００において、画像データ３０の画像が撮影された場所と携帯端末１００の現在位置との距離を算出するようにしてもよい。
【００４５】
次に、図４および図５の具体例を用いて説明する。
【００４６】
図４は送信端末の表示部の表示例を示す図であり、図５は受信端末の表示部の表示例を示す図である。
【００４７】
まず、図４を参照すると、携帯端末１００で撮影された画像（画面Ｂ１）を保存するか否かの選択肢を携帯端末１００の表示部１０３に表示する（画面Ｂ２）。保存しない場合は続けて撮影状態に戻る（画面Ｂ１）か、またはカメラアプリケーションを終了する。
【００４８】
保存する場合、引き続いて位置情報のデータを取得するか否かを選択する（画面Ｂ３）。取得する場合は、ＧＰＳ衛星８００により現在の撮影場所を特定し（画面Ｂ４）、数値として緯度および経度を携帯端末１００に表示する（画面Ｂ５）。
【００４９】
さらに詳細情報を必要とする場合（画面Ｂ６）、取得した緯度・経度情報２０を位置情報提供システム９００に向けて送信し、撮影場所の位置情報３０（地図、住所）、天候情報サーバ７００から天候情報４０を取得する（画面Ｂ７、画面Ｂ８）。画面Ｂ９にて、画像データを保存する場合には、撮影した画像、位置情報３０、天候情報４０の情報を含めた画像データ３０を、携帯端末１００に保存する（画面Ｂ１０）。
【００５０】
画面Ｂ１１にて、情報を再取得する場合は、再びサーバへ問い合わせる（画面Ｂ７）。携帯端末１００により、画像データ３０を選択し、詳細情報を閲覧すると、撮影日時、場所、地図、および天候が表示される（画面Ｂ８）。
【００５１】
また、画面Ｂ１２にて、画像データを送信するか選択し、送信するならば画面Ｂ１３、画面Ｂ１４へと進む。送信せず終了するならば画面Ｂ１０へと進む。
【００５２】
図５を参照すると、受信端末１１０側では画像データ３０の撮影画像の他、撮影日時、場所、地図、および天候情報を表示する（画面Ｂ２１、画面Ｂ２２）。画面Ｂ２３にて、受信した画像データ３０の撮影場所と、受信端末１１０の現在位置との距離を算出する場合には画面Ｂ２４へ、しない場合は画面Ｂ２８で終了する。
【００５３】
次に、受信端末１１０の現在位置の緯度・経度２１をＧＰＳ衛星８００から取得し（画面Ｂ２４、画面Ｂ２５）、画像データ３０に記録された撮影時の緯度・経度２０と、ＧＰＳ衛星８００で取得した受信端末の現在地の緯度・経度２１の両データから、距離計算を実行し（画面Ｂ２６）、その結果を表示し（画面Ｂ２７）、終了する（画面Ｂ２８）。
【００５４】
以上説明した本発明によれば、携帯端末で撮影した画像を保存するときに、ＧＰＳ衛星およびインタ−ネット上の各データベースから、付加情報（位置情報、天候、地図）を取得し、撮影された画像と共に画像データとして携帯端末に保存し、それらの付加情報を携帯端末に表示させることを可能とする。
【００５５】
また、画像保存時に容易な操作で付加情報を取得でき、多くの情報を手入力する手間が省ける。この画像データを電子メールで送信した場合に、受信側においても送信側と同様の付加情報を端末にて閲覧可能であり、その画像データと受信携帯端末との距離を計測することにより、受信者は画像が撮影された場所までの所要時間の概算を知ることができる。
【００５６】
次に、本発明の他の実施の形態について図６を参照して説明する。
【００５７】
図６は、本発明による携帯端末装置を用いた位置管理システムの図１とは別の実施の形態の構成を示すブロック図である。
【００５８】
本実施の形態のシステムにおける携帯端末装置１１０は、ＧＰＳアンテナ１０１と、カメラ１０２と、表示部１０３と、入力部１０４と、メモリ１０５とを有して構成される。
【００５９】
また、本システムは、位置情報システム５００と、位置情報を取得するＧＰＳ衛星６００と、天候情報サーバ７００と、検索データベース８５０とを有して構成される。
【００６０】
これらの構成はそれぞれ概略次のように動作する。
【００６１】
画像の撮影、画像データの作成といったデジタル画像作成方法並びにその送信手段については先に述べた実施の形態と同様である。
【００６２】
本実施の形態では携帯端末１１０には、２枚以上の画像データが保存されていることを条件とする。
【００６３】
ここでは、任意の画像データ３１と画像データ３２があり、これらの画像データ３１および３２のそれぞれには、それぞれの画像が撮影された場所の情報、すなわち位置情報が記録されているとする。
【００６４】
この場合、画像データ３１の位置情報および画像データ３２の位置情報から両画像データのそれぞれが撮影された場所が判明し、両者の撮影場所同士の距離を携帯端末１１０で算出することが可能である。算出された結果は、携帯端末１１０に表示される。
【００６５】
また携帯端末１１０の現在位置から画像データ３１の撮影場所への最短経路を検索するシステムを提供する。
【００６６】
インターネット上に検索システム８００と各地の地図を保有する検索データベース８５０があり、まず画像データ３１を検索システム８００へ送信する。検索システム８００は携帯端末１１０から受信した画像データ３１の画像の撮影場所の位置情報を読み出し、検索データベース８５０へ通知し位置を照合する。
【００６７】
そして、「携帯端末１１０の現在位置」から「画像データ３１が撮影された場所」への経路を割り出し、検索システム８００を介して携帯端末１１０へ通知する。
【００６８】
同様に、複数の撮影画像の撮影場所同士の経路検索も同様の仕組みで実現可能である。つまり、各画像データを検索システム８００へ送信し、検索サーバ９００で経路を割り出し、携帯端末１１０へ通知すればよい。
【図面の簡単な説明】
【００６９】
【図１】本発明による携帯端末装置を用いた位置管理システムの一実施の形態の構成を示すブロック図である。
【図２】送信端末の動作を示すフローチャートである。
【図３】受信端末の動作を示すフローチャートである。
【図４】送信端末の表示部の表示例を示す図である。
【図５】受信端末の表示部の表示例を示す図である。
【図６】本発明による携帯端末装置を用いた位置管理システムの図１とは別の実施の形態の構成を示すブロック図である。
【符号の説明】
【００７０】
１００、１１０  携帯端末
１０１  ＧＰＳアンテナ
１０２  カメラ
１０３  表示部
１０４  入力部
７００  天気情報サーバ
８００  ＧＰＳ衛星
９００  位置情報システム
【図１】
2009225350.tif 000003
【図２】
2009225350.tif 000004
【図３】
2009225350.tif 000005
【図４】
2009225350.tif 000006
【図５】
2009225350.tif 000007
【図６】
2009225350.tif 000008